(57)【要約】【課題】情報入力装置と情報処理装置の一体性を改善する情報入力装置、情報処理システムおよびプログラムを提供すること。【解決手段】情報処理装置に対して情報を入力するための電子ペン１０６は、電子ペン１０６を収納するキャップ１０５への情報処理装置の収納を検知するための収納検知部２０２と、電子ペン１０６のキャップ１０５への収納状態を情報処理装置に通信するための第１無線通信部２０４とを備えている。電子ペン１０６がキャップ１０５に収納されていない状態で情報処理装置の電源をオフする操作がされると、情報処理装置は、タッチパネル１０４上に電子ペン１０６が戻されていないことの通知を表示させることで、電子ペン１０６の戻し忘れを防止している。【選択図】  図２
2014052994.tif 000002
【特許請求の範囲】
【請求項１】
収納部への情報入力装置の収納を検知する収納検知手段と、
前記収納部への収納状態を通信する通信手段と
を含む、情報入力装置。
【請求項２】
前記収納検知手段は、光学的検知手段または電気的検知手段である、請求項１に記載の情報入力装置。
【請求項３】
さらに情報入力装置が内蔵する電池の電池残量を示す電池残量確認手段を含む、請求項１または２に記載の情報入力装置。
【請求項４】
収納部への情報入力装置の収納を検知するための収納検知手段と、
前記収納部への収納状態を通信するための通信手段と、
前記通信手段から通信された収納状態が、前記収納部に情報入力装置が収納されていないことを示す場合、電源オフの操作がされたときに、前記情報入力装置が収納されていないことを通知する手段と
を備える、情報処理システム。
【請求項５】
さらに前記通信手段から通信された収納状態が、前記収納部に収納されていることを示す場合、前記電源オフの操作がされたときに、電源を切断する手段を備える請求項４に記載の情報処理システム。
【請求項６】
前記通知は、視覚的表示、音声通知または視覚的表示および音声通知である、請求項４または５に記載の情報処理システム。
【請求項７】
複数の情報入力装置のうち前記収納部に収納されていない情報入力装置を特定して前記通知を行う手段を備える、請求項４〜６のいずれか１項に記載の情報処理システム。
【請求項８】
さらに前記情報入力装置が収容されていないことを通知する手段からの通知が届かない場合に、前記情報入力装置が収納されていないかまたは前記情報入力装置の電池切れを画像的に通知するための手段を備える、請求項４〜７のいずれか１項に記載の情報処理システム。
【請求項９】
情報処理装置が実行するプログラムであって、該プログラムは、情報処理装置を、
収納部に情報入力装置が収納されているか否かを通知する手段からの収納状態を受信する手段、
前記収納状態が前記収納部に収納されていないことを示す場合、電源オフの操作がされたときに、前記情報入力装置が収納されていないことを通知する手段、
前記収納状態が前記収納部に収納されていることを示す場合、前記電源オフの操作がされたときに、そのまま電源をオフする手段、
として機能させる、装置実行可能なプログラム。
【請求項１０】
さらに前記プログラムは、前記情報処理装置を、前記情報入力装置が収容されていないことを通知する手段からの通知が届かない場合に、前記情報入力装置が収納されていないかまたは前記情報入力装置の電池切れを画像的に通知するための手段として機能させる、請求項９に記載のプログラム。
【発明の詳細な説明】
【技術分野】
【０００１】
本発明は、情報処理装置に情報を入力するための装置に関し、より詳細には、情報入力装置と情報処理装置の一体性を改善する情報入力装置、情報処理システムおよびプログラムに関する。
【背景技術】
【０００２】
近年、携帯型の情報処理装置が普及し、またオフィスにおける会議においても、電子情報ボード、電子ホワイトボードとして参照されるタッチパネル付き大型ディスプレイ装置を用いてプレゼンテーションを行うことが普及している。以下、本明細書では、記述を簡略にする目的で、タッチパネル付き大型ディスプレイ装置を、電子情報ボードとして参照する。
【０００３】
近年の電子情報ボードは、ディスプレイ装置上でのプレゼンテーションばかりではなく、ネットワークを通した通信により、複数のサイトにおける電子会議のためにも利用されている。このため、電子情報ボードを使用してプレゼンテーションを行うにあたり、ユーザは、指でタッチパネルに触れ、新たな情報を入力したり、画面の切り替えなどの操作を行ったりすることもできる。ユーザが電子情報ボードに対してより精度良く入力を行ったり、細かな入力を行ったり、また表示色やその他の視覚的効果を用いるために、電子情報ボードに付属する電子ペンを使って、電子的に筆記を行うことも多い。このような要求は、タブレット型パーソナルコンピュータ、ＰＤＡ（パーソナル・データ・アシスタント）、スマートフォンといった携行性が高く、またサイズが携行性のために制限される情報処理装置ではさらに高くなるということができる。
【０００４】
情報処理装置に入力を行う情報入力装置である電子ペンは、利用性を高めるため、自由度が高いことが好ましい。このため、多くの場合、電子ペンは、その利便性を高めるために、電子情報ボードといった情報処理装置の筐体の脱着しやすい位置に取り付けられる場合が多い。
【０００５】
また、電子ペンの利用性を高めるためには、情報処理装置から電子ペンを物理的に分離して提供することが好ましいが、電子ペンを情報処理装置から分離して構成する態様の場合、ミーティング終了時等の電子ペンの終了時に、ユーザが電子ペンを所定の位置に戻し忘れてしまい、そのまま紛失するという場合も考えられる。また、意図しないまでもユーザがポケットに電子ペンを入れたまま持ち帰ってしまう場合も想定できる。このような場合、後に情報処理装置に対して電子ペンで入力を行うことを希望する他のユーザは、電子ペンを使えないという問題が生じることになる。また、電子ペンも浪費してしまうことになる。
【０００６】
従来から電子ペンなどの情報入力手段と情報処理装置との間の一体性を確保するための検討が行われており、例えば、特開平７−１２１２７０号公報（特許文献１）では、ペンの収納ケースへの収納状態及び未収納状態を検出するセンサを設け、メインスイッチのオフ状態への遷移に応答してそのセンサのステータス情報を判定し、その判定結果が収納状態を示すときには電源回路をオフさせ、同判定結果が未収納状態を示すときペンの収納ケースへの収納を促す警告を行う文書作成装置が記載されている。特許文献１では、ペンが収納ケースへ収納されている状態でスイッチがオフされたときに電源回路をオフさせることで、文書作成装置の収納ケースへペンを確実に収納させることが可能とされている。
【０００７】
特許文献１に記載される従来技術でも、電子ペンの戻し忘れを防止することは可能である。しかしながら、特許文献１では、電子ペンの収納部分にペンを検知するためのセンサを搭載しなければならず、この結果として、当該センサに電源を供給するための電力ラインが必要とされ、情報処理装置の制御部分がセンサの値を読み取るために別途通信ラインが必要となっていた。また、収納ケースにペンが収納されていない場合あっても電源を切断しないだけで、結局のところ電子ペンの戻し忘れを文書作成装置が能動的に生成することを可能とするものではない。また、電子ペンの電池が切れていた場合に、電子ペンを収納してから電源オフボタンを押したユーザに対しても警告メッセージが表示されたままとなり、ユーザを戸惑わせたり、電子情報ボードのスムースな電源オフ動作が妨げられてしまうという問題があった。
【発明の概要】
【発明が解決しようとする課題】
【０００８】
本発明は、従来技術の上述した問題点を改善するためになされたものであり、本発明は、電子情報ボードに対して電源ラインや信号ラインといった追加的な電気的要素を追加することなく、さらに電子ペンといった情報入力装置の利便性を高めながら、その戻し忘れを防止する情報入力装置、情報処理システムおよびプログラムを提供することを目的とする。さらに本発明は、ユーザに電子ペンを収納するよう指示する警告メッセージと共に、電子ペンの電池切れを確認する方法を表示することにより、電子ペンが電池切れしていた場合にも、ユーザを戸惑わすことが無く、電子情報ボードのスムースな電源オフ動作を可能とする情報入力装置、情報処理システムおよびプログラムを提供することを目的とする。
【課題を解決するための手段】
【０００９】
本発明は、上記目的を達成するために、電子ペンといった情報入力装置を使って筆記することができる電子情報ボードなどの情報処理装置に、収納部を提供する。この情報入力装置は、情報入力装置に配設された検知手段に結合されることにより情報入力装置の戻りを情報処理装置に通知する。情報入力装置は、収納部と検知手段との結合を検出すると、情報処理装置に情報入力装置が戻されたことを無線通信方式によって通知する。
【００１０】
一方、情報処理装置は、ユーザが情報処理装置の電源オフボタンを押下げた時に、情報入力装置が収納部に収納されていない場合、電源オフを行うことなく、ユーザに対して情報入力装置を戻すように促す通知を出力する。通知は、視覚的な通知でも良く、また音声的な通知でもかまわない。また、本発明では、情報入力装置からのメッセージが届かない場合、情報入力装置が収納されていないことの他、情報入力装置の電池切れであることを画像的に通知する手段を備えていて、ユーザに対して電源オフ処理ができない理由を通知させることができる。さらに、本発明は、上記情報処理装置および情報入力装置を含む情報処理システムおよびプログラムを提供することができる。
【発明の効果】
【００１１】
本発明は、上記構成を採用することにより、情報処理装置に対して追加の電力ラインや信号ラインを追加することなく、情報処理装置に対する情報入力装置の戻し忘れを改善することを可能とし、情報処理装置および情報入力装置の長期間にわたる一体化した利便性を提供することができる。
【図面の簡単な説明】
【００１２】
【図１】本発明の情報処理装置を、電子情報ボード１００として実装した場合の実施形態を示す図。
【図２】図１の矩形枠１１０の部分を拡大し、タッチパネル１０４の正面方向から見た場合の拡大図。
【図３】本実施形態の電子情報ボード１００の本体制御部３０１および電子ペン１０６の機能ブロック図。
【図４】本実施形態の電子情報ボード１００が、電子ペン１０６がキャップ１０５に戻されていないことを示す状態情報のままで、電源オフ操作がされた場合の実施形態を示す図。
【図５】本実施形態で電子ペン１０６の状態情報を使用した本体制御部３０１の状態遷移図。
【図６】本実施形態の電子情報ボード１００が実行する処理のフローチャート。
【図７】図６のＳ６０４に示す状態情報判定処理の詳細なフローチャート。
【図８】例えば黒、赤、青といった複数の電子ペン１０６を使用することが可能な場合の実施形態を示す図。
【図９】本実施形態の第２の実施形態の、電子ペン１０６を示す図。
【図１０】図９に示した電子ペン１０６に対応可能な本実施形態の第２の情報処理システム１０００の機能ブロック図。
【図１１】本実施形態の電子情報ボード１００がＬＣＤパネルに表示するメッセージの第２の実施形態。
【発明を実施するための形態】
【００１３】
以下、本発明について実施形態を使用して説明するが、本発明は後述する実施形態に限定されるものではない。図１は、本発明の情報処理システムを電子情報ボード１００および電子ペン１０６のセットとして実装した場合の実施形態を示す。電子情報ボード１００は、キャスタ１０３、テーブル１０８などを備えるフレーム１０２に、タッチセンサを搭載した液晶ディスプレイパネル（以下、ＬＣＤパネル１０１として参照する。）１０１が保持されている。電子情報ボード１００は、電源スイッチ（図示せず）がオンされると、ＬＣＤパネル１０１がプレゼンテーションに関する表示を行う。ユーザは、電子ペン１０６として実装された情報入力装置を使用して、タッチパネル１０４上に書き込みを行い各種のプレゼンテーションを行う。
【００１４】
電子情報ボード１００は、その適切な位置に矩形枠１１０で示すように、電子ペン１０６を収納するための、例えばキャップ１０５として構成される収納部を備えている。ユーザは、電子ペン１０６を使用してタッチパネル１０４に各種の書き込みを行い、使用終了すると、キャップ１０５に電子ペン１０６を戻し、プレゼンテーションを終了させる。図１に示した実施形態では、ＬＣＤパネル１０１の筐体側面にキャップ１０５が固定され、電子ペン１０６が矢線の方向に挿入されることにより、電子情報ボード１００に戻されるのが示されている。
【００１５】
本実施形態では、電子ペン１０６は、キャップ１０５に収容された時に結合して電子ペン１０６がキャップ１０５に収容されたことを通知する無線通信部（不図示）を搭載している。電子ペン１０６は、電子情報ボード１００の適切な位置に配設された無線受信部１０７に対して電子ペン１０６と、キャップ１０５との間の状態を示す情報、すなわち状態情報を電子情報ボード１００の本体制御部（図示せず）に通知する。電子情報ボード１００は、状態情報の内容を使用して電子ペン１０６の戻し忘れに対する通知を発生し、電子ペン１０６と電子情報ボード１００との長期的な一体性を提供する。
【００１６】
図２は、図１の矩形枠１１０の部分を拡大し、タッチパネル１０４の正面方向から見た場合の拡大図である。図２に示すように、キャップ１０５は、ＬＣＤパネル１０１の筐体側面の適切な位置に固定されている。一方、図２に示した電子ペン１０６は、今まさにキャップ１０５に戻されようとするところである。電子ペン１０６は、先端部２００と、把持部２０１と、先端部２００の適切な箇所に配置された収納検知部２０２と、把持部２０１の適切な位置に配設された無線通信部２０４とを含んでいる。
【００１７】
収納検知部２０２は、好ましい実施形態では、光センサから構成することができ、収納検知部２０２は、電子ペン１０６が、キャップ１０５に収容されて、周囲からの光が遮断されたことを検知して電子ペン１０６が戻されたとの状態情報を生成する。また、収納検知部２０２は、周囲からの光を検知している場合に電子ペン１０６の使用中を示す状態情報を生成し、電子情報ボード１００に送付する。
【００１８】
また、他の実施形態では、収納検知部２０２は、電気的スイッチとして構成することができ、この実施形態の場合には、キャップ１０５の内側で収納検知部２０２に結合可能な位置に配設されたカプラ２０３を備えることができる。他の実施形態では、電子ペン１０６が戻された場合、収納検知部２０２と、カプラ２０３とが結合して電気的な信号変化を生成させることで収納検知を行うこともできる。このような実施解体としては、例えば収納検知部２０２がカプラ２０３に接触することで、収納検知部２０２の電位を接地電位とすることにより、電位的なハイ・ローの２値収納信号を発生させる。
【００１９】
さらに電子ペン１０６の無線通信部２０４は、収納検知部２０２が生成する状態情報を取得する。状態情報が無線通信部２０４に送られると、無線通信部２０４は、電子ペン１０６の使用状態を示す状態情報を、電子情報ボード１００の本体制御部（不図示）に通知する。例えば、電子ペン１０６の無線通信部２０４は、電子ペン１０６がキャップ１０５から抜き取られると、電子ペン１０６が使用中または戻されていないことを示す状態情報を、電子情報ボード１００の本体制御部に通知する。また、電子ペン１０６の無線通信部２０４は、電子ペン１０６がキャップ１０５に収納されると、電子ペン１０６が収納中であることを示す状態情報を、本体制御部に通知する。
【００２０】
説明する実施形態において、電子ペン１０６の収納・抜き取り動作が無線通信部２０４をオンさせて、設定されたプロトコルで自動的に電子情報ボード１００に電子ペン１０６の使用状態を通知する構成を採用することで、電子ペン１０６を通信待機状態としておく実施形態よりも電力消費を削減でき、電池などを長寿命化することができる。
【００２１】
電子情報ボード１００の本体制御部は、電子ペン１０６から送付される電子ペン１０６の状態を通知する状態情報を受領して、電子ペン１０６をキャップ１０５に戻させるための通知やアラームを生成する。本実施形態で使用することができる通知としては、タッチパネル１０４上に電子ペン１０６が戻されていないことにつき、視覚的表示を使用することができる。また、他の実施形態では、音声処理システムを使用して音声で「ペンを戻して下さい。」という音声アラームを、通知として使用することもできる。さらに他の実施形態では、視覚的表示、音声、ビープ音などオーディオ・ビジュアル的なアラームを構成し、これを通知として使用することで、より効果的に電子ペン１０６の戻し忘れを防止してもよい。
【００２２】
図３は、本実施形態の情報処理システムの機能ブロック構成３００を示す。電子情報ボード１００は、電源３０７から電極供給を受けており、電源スイッチ３０２のオン／オフに応答して電子情報ボード１００の動作を開始させている。電子情報ボード１００は、さらに主制御部３０３と、無線通信部３０４と、ＬＣＤパネル制御部３０５と、タッチパネル制御部３０６とを含んで構成されている。主制御部３０３は、電子情報ボード１００の動作やＬＣＤパネル制御部３０５およびタッチパネル制御部３０６などの制御を行っており、中央処理装置（ＣＰＵ）、ＡＳＩＣ、ＲＡＭ、ＲＯＭなどを含んで実装することができる。また、主制御部３０３は、ＵＮＩＸ（登録商標）、ＬＩＮＵＸ（登録商標）などのオペレーティング・システム（ＯＳ）の制御下でネットワーク通信などを実行し、遠隔サイトとの間で電子会議などを行うことが可能とされている。
【００２３】
タッチパネル制御部３０６は、電子ペン１０６の接触に応じて主制御部３０３を介してＬＣＤパネル制御部３０５に対し電子ペン１０６による入力情報を表示させる。また、主制御部３０３は、図示しない外部ネットワークインタフェースを使用して、現在、ＬＣＤパネル１０１に表示されている画像のスナップショットを他の情報処理装置に送付することで、電子会議のための情報共有を可能とさせている。
【００２４】
また、無線通信部３０４は、電子ペン１０６と無線通信を行う。無線通信部３０４は、電子ペン１０６の収納検知部３１１が生成した状態情報に応答して電子ペン１０６の無線通信部３１２が状態情報を、無線通信リンク３２０を介して本体制御部３０１の無線通信部３０４に送付する。無線通信のための方式としては、２．４ＧＨｚ帯の通信周波数を使用するＩＥＥＥ８０１．１１ｘなどの通信方式の他、Ｂｌｕｅｔｏｏｔｈ（登録商標）、および通信距離が数ｍ以下の近接通信方式など、これまで知られたいかなる通信方式でも使用することができる。
【００２５】
さらに他の実施形態では、電子ペン１０６の無線通信部２０４および電子情報ボード１００の無線通信部３０４を、光通信、音声通信、またはネットワークなどの有線通信として実装することができ、さらに電子ペン１０６と電子情報ボード１００とが直接通信するのではなく、例えば監視装置（不図示）などを経由して、電子情報ボード１００に電子ペン１０６が戻されていないことを通知する通知の発生やアラーム発生を可能としても良い。
【００２６】
図４は、本実施形態の電子情報ボード１００が、電子ペン１０６がキャップ１０５に戻されていないことを示す状態情報のままで、電源オフ操作がされた場合の実施形態を示す。図４に示した態様では、ユーザが電子ペン１０６をテーブル１０８に載せたままで電源スイッチをオフする操作を行った場合に電子情報ボード１００が発する視覚的通知４００の実施形態を示す。
【００２７】
図４に示す実施形態で、電子ペン１０６がキャップ１０５に収納されていれば、電子情報ボード１００のＬＣＤパネル１０１には何の表示も行われない。しかしながら、電子ペン１０６がキャップ１０５に戻されていない状態で電源オフ操作が行われた場合や、設定した待機時間を経過した場合、視覚的通知４００がタッチパネル１０４の表示画面上に表示され、ユーザに対して電子ペン１０６の戻し忘れを通知する。
【００２８】
なお、他の実施形態では、図４に示す視覚的通知ではなく音声アラームを通知として発生させることもできるし、視覚的通知と、音声通知とを両方使用してユーザに電子ペン１０６の戻し忘れを通知する構成とすることができる。
【００２９】
図５は、本実施形態で電子ペン１０６の状態情報を使用した本体制御部３０１の状態遷移図である。状態Ｓ１で電子情報ボード１００が電源オンされると、状態Ｓ２で電子ペン１０６からの状態情報が不明の状態となるので、電子情報ボード１００は、状態Ｓ２で電子ペン１０６の状態取得を行う。電子ペン１０６がキャップオンの場合、状態Ｓ５で電子ペン収納の状態に遷移する。一方、電子ペン１０６がキャップオフであると判断された場合、状態Ｓ３に遷移して電子ペン使用の状態に遷移する。
【００３０】
状態Ｓ３にある時に電源オフ操作がされると状態Ｓ４に遷移し、電子情報ボード１００は、通知（アラーム）を生成し、キャップオンの状態情報を検出すると、状態Ｓ６に遷移して電子情報ボード１００の電源をオフする。一方、状態Ｓ５では、キャップオン・キャップオフのユーザ操作に応じて状態Ｓ３との間で状態遷移を繰り返しており、どの状態の時に電源オフ操作が行われるかによって、通知やアラームの発生が制御されている。
【００３１】
図６は、本実施形態の電子情報ボード１００が実行する処理のフローチャートを示す。処理はステップＳ６００から開始し、ステップＳ６０１でユーザによる電源オン押下げが行われると、ステップＳ６０２で電子情報ボードが起動される。ステップＳ６０３では、電源オフ押下げが操作されたか否かを判断し、電源オフが押下げされていない場合（ｎｏ）、ステップＳ６０３の判断を繰り返して行う。なお、この間、電子情報ボード１００は、ユーザの操作により各種のプレゼンテーションを行う。
【００３２】
ステップＳ６０３で電源オフ押下げを検知すると（ｙｅｓ）、ステップＳ６０４で電子ペン１０６の状態情報判定処理を実行し、ステップＳ６０５で電子ペン使用中と判断した場合（ｙｅｓ）、ステップＳ６０６でアラームを生成してユーザに電子ペンの戻し忘れを通知する。一方、ステップＳ６０５で電子ペン１０６が使用中ではない場合（ｎｏ）、ステップＳ６０７で電子情報ボードを正常にシャットダウンさせ、電子情報ボード１００の処理はステップＳ６０８で終了する。
【００３３】
図７は、図６のＳ６０４に示す状態情報判定処理の詳細なフローチャートである。図７の処理は、ステップＳ７００で電子ペン１０６からのメッセージを受領したか否かを判断する。電子ペン１０６からのメッセージは現在使用中であるか、またはキャップ１０５に収納されているかを通知する例えばフラグ情報などの単純なメッセージとされている。電子ペン１０６からメッセージを受信しない場合（ｎｏ）、処理をステップＳ７００に戻してメッセージを受信するまで、電子ペン１０６の状態情報を保持する。なお、本実施形態におけるメッセージとは、通信パケットのペイロードに含まれる情報自体を意味し、特定の情報フォーマットに限定されるものではない。
【００３４】
一方、電子ペン１０６からメッセージを受領した場合（ｙｅｓ）、ステップＳ７０１で当該メッセージを判断し、メッセージがキャップオンを通知しているかどうかを判断する。メッセージがキャップオンを通知している場合（ｙｅｓ）ステップＳ７０２で状態情報を収納に設定し、処理をステップＳ７００に戻し、後続するメッセージを待機する。
【００３５】
また、ステップＳ７０１で、メッセージがキャップオンではない場合（ｎｏ）、この場合にはキャップオフの状態なので、ステップＳ７０３で状態情報を使用中に設定し、処理をステップＳ７００に戻し、後続するメッセージによる状態情報の更新を行う。なお、ユーザにより電源オン操作がなされた場合、直前の使用における状態情報の値をＮＶＲＡＭなどに待避させておき、電子情報ボード１００の電源オン時の処理を効率化させることができる。
【００３６】
図８は、例えば黒、赤、青といった複数の電子ペン１０６を使用することが可能な場合の他の実施形態を示す。図８に示す電子情報ボード８００は、ＬＣＤパネル１０１の筐体側面にキャップ１０５が３つ取り付けられていて、３つの電子ペン１０６が収納可能とされている。電子ペン１０６には、それぞれ無線通信用に物理アドレスが割り当てられているので、電子ペン１０６からのメッセージの送受により、電子ペン１０６を特定することができる。
【００３７】
図８に示した実施形態では、テーブル１０８上に電子ペン１０６ａが放置されたままとされており、この状況でユーザが電子情報ボード８００の電源オフ操作を行うと、例えば「青ペンを戻してください。」などの視覚的表示または音声メッセージまたはその両方を使用したアラームを生成し、ユーザに電子ペン１０６ａを電子情報ボード８００のキャップ１０５に戻すように促すことができる。
【００３８】
図９は、本実施形態の第２の実施形態の、電子ペン１０６を示す。第２の実施形態の電子ペン１０６は、電池残量を表示するＬＥＤインジケータ９０１を備えており、電子ペン１０６の電池の電池切れを、キャップ１０５に戻した時点でＬＥＤインジケータ９０１の点灯状態によってユーザに通知する実施形態である。例えば、ユーザがプレゼンテーションを終了して、電子ペン１０６をキャップ１０５に戻したにもかかわらず、電子ペン１０６の内蔵電池の電池容量が充分な残量でない場合や、電池切れとなっている場合、電子情報ボード１００は、電子ペン１０６からの無線通信によるメッセージが受け取れない。
【００３９】
このため、電子情報ボード１００は、電源オフシーケンスのまま停止する可能性がある。この状態は、電子ペン１０６自体が電子情報ボード１００に戻されているにもかかわらず、ステップＳ６０５の判断で、電子ペン使用中の判断がなされるので、図４に示したメッセージが表示されたままとなることによる。図９に示す第２の実施形態の電子ペン１０６は、内部電池の残量を表示するためのＬＥＤインジケータ９０１が電子ペン１０６の視認性の良い箇所に設けられており、電池残量に応じて、電池切れ（Ｅ）から満容量（Ｆ）までの間で、図示する実施形態では、３水準でＬＥＤといった発光部材を点灯制御する。電池が満容量の場合には、３レベルの最も（Ｆ）側までＬＥＤが発光し、電池切れの場合、ＬＥＤはまったく発光しない構成となっている。
【００４０】
図１０は、図９に示した電子ペン１０６に対応可能な本実施形態の第２の情報処理システム１０００の機能ブロック図を示す。図１０では、図３に示したと同一の機能を有する機能要素については同一の符号を伏して示している。図１０に示した実施形態では、電子ペン１０６は、図３に示した第１の実施形態に加えて電池電圧検知部１００１と、ＬＥＤ制御部１００２とが追加されている点が相違する。
【００４１】
収納検知部３１１は、電子ペン１０６がキャップ１０５に戻されると、ＬＥＤ制御部１００２を起動させ、電池電圧検知部１００１が検出した電池電圧に応じてＬＥＤ制御部１００２のＬＥＤを発光させる。また、収納検知部３１１は、電子ペン１０６がキャップに戻されてから所定時間、例えば３秒間程度ＬＥＤを点灯させ、ユーザに対して電池残量を通知する。なお、電子ペン１０６がキャップ１０５に戻されたか否かは、電子ペン１０６と、キャップ１０５との間の収納検知部２０２と、カプラ２０３とにより形成される電気的スイッチのオン・オフによって判断することができ、例えば、収納検知部２０２とカプラ２０３とで、ＬＥＤを放電させるための接地回路を構成させておき、電池電圧検知部１００１が所定時間、例えば３秒間だけコンデンサに充電した電荷を放電させることで、ＬＥＤ制御部１００２を動作させる構成とすることができる。
【００４２】
収納検知部２０２と、カプラ２０３との電気的接続形成による実施形態の場合、内蔵電池が容量を有する限り、戻されたことの検出および電池残量表示を同時に達成することができ、ＬＥＤ以外追加の電力消費要素を必要とはしないので、効率的な収納検出・電池残量表示を行うことができる。
【００４３】
図１１は、本実施形態の電子情報ボード１００がＬＣＤパネルに表示するメッセージの第２の実施形態である。第２の実施形態のメッセージは、電子ペン１０６のイラスト、写真、またはコンピュータ・グラフィックスを含んで表示させることができる。図１１の実施形態ではメッセージ１１０１および１１０２が表示される。メッセージ１１０１では、ユーザが未だ電子ペン１０６を戻さずに電子情報ボード１００の電源をオフにする操作を行った場合および電子ペン１０６が電池切れの場合の両方において表示される。このうち、電子情報ボード１００の電源オフ処理に入らない理由としては２通り存在し、１つは、電子ペン１０６が戻されていない場合であり、これは外部から見るとすぐわかる。
【００４４】
しかしながら、電子ペン１０６の内蔵電池が電池切れの場合には、ユーザは、電子情報ボード１００の電源をオフする操作をし、電子ペン１０６が戻されているにもかかわらず電子情報ボード１００の電源がオフしないことについては直ちに認識できない。このため図１１の実施形態では、電子ペン１０６の電池切れの可能性があることを画面表示１１０３として電子情報ボード１００上に、電池切れの可能性を通知するための画面表示１１０２と共に表示している。
【００４５】
当該画面表示１１０３は、電子情報ボード１００がユーザによる電源オフ操作がなされた後、例えば、主制御部３０３が、電子ペン１０６からの無線通信による電子ペン１０６の収容を通知するメッセージが所定時間を経過しても届かない場合にＬＣＤパネルをＬＣＤパネル制御部３０５に対して画面表示１１０３を表示させるように制御することによって提供される。
【００４６】
当該画面表示１１０３を見たユーザは、電子情報ボード１００の電源オフ処理が終了しないのは、電子ペン１０６の電池切れであると判断し、例えば再度キャップ１０５に電子ペンを戻してＬＥＤインジケータ９０１の発光状態を確認することで、電池の状態を確認することもできるし、電池切れの場合には、直ちに電池を交換することで、正常な電源オフシーケンスを開始させることができる。なお、通知は、画面表示ではなく、電子情報ボード１００による音声通知とすることもできる。
【００４７】
また、これまで本実施形態の情報処理装置を電子情報ボードとして実装した実施形態を例として説明してきたが、他の実施形態にあっては、情報処理装置と、タブレット型パーソナルコンピュータ、ＰＤＡ、スマートフォンなど、タッチパネル機能を備えるモバイル端末装置として実装することができる。
【００４８】
以上説明したように、本発明によれば、情報処理装置に対して追加の電力ラインや信号ラインを追加することなく、情報処理装置に対する情報入力装置の戻し忘れを改善することを可能とし、情報処理装置および情報入力装置の長期間にわたる一体化した利便性を提供することができる。
【００４９】
これまで本発明につき実施形態をもって説明してきたが、本発明は、上述した実施形態に限定されるものではなく、他の実施の形態、追加、変更、削除など、当業者が想到することができる範囲内で変更することができ、いずれの態様においても本発明の作用・効果を奏する限り、本発明の範囲に含まれるものである。
【符号の説明】
【００５０】
１００  電子情報ボード
１０１  液晶ディスプレイパネル
１０２  フレーム
１０３  キャスタ
１０４  タッチパネル
１０５  キャップ
１０６  電子ペン
１０６ａ  戻されていない電子ペン
１０７  無線受信部
１０８  テーブル
１１０  矩形枠
２００  先端部
２０１  把持部
２０２  収納検知部
２０３  カプラ
２０４  無線通信部
３００  機能ブロック構成
３０１  本体制御部
３０２  電源スイッチ
３０３  主制御部
３０４  無線通信部
３０５  ＬＣＤパネル制御部
３０６  タッチパネル制御部
３０７  電源
３１１  収納検知部
３１２  無線通信部
３２０  無線通信リンク
【先行技術文献】
【特許文献】
【００５１】
【特許文献１】特開平７−１２１２７０号公報
【図１】
2014052994.tif 000003
【図２】
2014052994.tif 000004
【図３】
2014052994.tif 000005
【図４】
2014052994.tif 000006
【図５】
2014052994.tif 000007
【図６】
2014052994.tif 000008
【図７】
2014052994.tif 000009
【図８】
2014052994.tif 000010
【図９】
2014052994.tif 000011
【図１０】
2014052994.tif 000012
【図１１】
2014052994.tif 000013